(57)【要約】【課題】従来に比べて簡便で容易に収納量の確認が可能な、残量判別式の鋼製ドラム缶を提供する。【解決手段】天板、地板及び胴体を有する密閉型の鋼製ドラム缶１００であって、凹形状又は凸形状を有する収納物残量判別用の図形部１１０を備え、該図形部は、当該鋼製ドラム缶の全高Ｈにわたり当該鋼製ドラム缶の軸方向１００ａに沿って１０個以上、離散して胴体に備わり、さらに、軸方向において隣接する図形部同士の隙間寸法Ｌ１は、一つの図形部の軸方向における長さ寸法Ｌ２よりも大きくした。【選択図】図１Ａ
2020075744.tif 000002
【特許請求の範囲】
【請求項１】
天板、地板及び胴体を有する密閉型の鋼製ドラム缶（１００）であって、
凹形状又は凸形状を有する収納物残量判別用の図形部（１１０）を備え、該図形部は、当該鋼製ドラム缶の全高（Ｈ）にわたり当該鋼製ドラム缶の軸方向（１００ａ）に沿って１０個以上、離散して上記胴体に備わり、
上記軸方向において隣接する図形部同士の隙間寸法（Ｌ１）は、一つの図形部の上記軸方向における長さ寸法（Ｌ２）よりも大きい、
ことを特徴とする鋼製ドラム缶。
【請求項２】
図形部は、凹形状であり、その深さ寸法（ｄ）は、０．５ｍｍから２ｍｍの範囲にある、請求項１に記載の鋼製ドラム缶。
【請求項３】
図形部は、平面形状が円形であり、その直径で１５ｍｍから３０ｍｍの範囲にある、請求項１又は２に記載の鋼製ドラム缶。
【発明の詳細な説明】
【技術分野】
【０００１】
本発明は、鋼製のドラム缶に関し、より詳しくは、缶内収納物の残量を感知可能な残量判別式の鋼製ドラム缶に関する。
【背景技術】
【０００２】
鋼製（金属製）ドラム缶は、例えば、化学製品、あるいは石油、ガソリン、潤滑油等の液体の油脂類、あるいは粘性が比較的高い液体危険物、あるいは粉体又は固体等の出し入れが容易ではない内容物等、を充填し輸送するのに好適な容器である。このような鋼製ドラム缶には、円筒状の胴体に地板を巻締め、さらに天板も巻締めて接合した密閉型と、胴体に対して天板を着脱自在としたオープン型とが存在する。
尚、本書において「ドラム缶」とは、金属を主材料とした約２００Ｌから４００Ｌまでの円筒形容器であって、ＪＩＳ Ｚ １６００，１６０１に規定あるいは準拠した鋼製容器に相当する容器である。
【先行技術文献】
【非特許文献】
【０００３】
【非特許文献１】「ドラム缶工業会」ホームページ（http://www.jsda.gr.jp/）
【発明の概要】
【発明が解決しようとする課題】
【０００４】
上述の特に密閉型のドラム缶における収納量（換言すると残量）の検出方法として、例えば、総重量を計測し換算する方法、ドラム缶の天板における口金を開栓しそこから各種の計測器を用いて計測する方法、等がある。計測器としては、フロートを用いたもの、静電容量を計測するもの、光、音波等の反射を利用するもの等が使用可能である。
【０００５】
しかしながら上述の収納量検出方法では、次のような問題点がある。即ち、総重量計測による方法では、例えば２００ｋｇ程度の場合もある重量物の搬送が必要となる。また計測器による方法では、口金の開栓が必要で開栓には専用工具を要すること、計測器は比較的高価であること、複数缶について計測する場合には、計測毎に計測器の洗浄あるいは着脱作業等を要することなど、手間及び時間を要するという問題がある。
このように、密閉型のドラム缶において、従来、容易で簡便な収納量の確認手法は存在しないと言っても過言ではない。
【０００６】
本発明は、このような問題点を解決するためになされたものであり、密閉型のドラム缶において、従来に比べて簡便で容易に収納量の確認が可能な、残量判別式の鋼製ドラム缶を提供することを目的とする。
【課題を解決するための手段】
【０００７】
上記目的を達成するため、本発明は以下のように構成する。
即ち、本発明の一態様における鋼製ドラム缶は、天板、地板及び胴体を有する密閉型の鋼製ドラム缶であって、
凹形状又は凸形状を有する収納物残量判別用の図形部を備え、該図形部は、当該鋼製ドラム缶の全高にわたり当該鋼製ドラム缶の軸方向に沿って１０個以上、離散して上記胴体に備わり、
上記軸方向において隣接する図形部同士の隙間寸法は、一つの図形部の上記軸方向における長さ寸法よりも大きいことを特徴とする。
【発明の効果】
【０００８】
上述の一態様によれば、鋼製ドラム缶の全高にわたり軸方向において１０個以上の収納物残量判別用の図形部を胴体に備え、さらに、軸方向において隣接する図形部同士の隙間寸法を、一つの図形部の軸方向における長さ寸法よりも大きくしたことで、当該ドラム缶の打音により、収納量、換言すると残量を従来に比べて簡便で容易に確認することができる。
【図面の簡単な説明】
【０００９】
【図１Ａ】実施形態における図形部の配置例を示す鋼製ドラム缶の斜視図である。
【図１Ｂ】実施形態における図形部の別の配置例を示す鋼製ドラム缶の斜視図である。
【図１Ｃ】実施形態における図形部のさらに他の配置例を示す鋼製ドラム缶の斜視図である。
【図２】実施形態における図形部の形状、サイズ、及び他の図形部との位置関係を説明するための断面図である。
【発明を実施するための形態】
【００１０】
本発明の実施形態である残量判別式の鋼製ドラム缶について、図を参照しながら以下に説明する。尚、各図において、同一又は同様の構成部分については同じ符号を付している。また、以下の説明が不必要に冗長になるのを避け当業者の理解を容易にするため、既によく知られた事項の詳細説明及び実質的に同一の構成に対する重複説明を省略する場合がある。また、以下の説明及び添付図面の内容は、特許請求の範囲に記載の主題を限定することを意図するものではない。
【００１１】
図１Ａには、本実施形態における残量判別式の鋼製ドラム缶１００を示している。この鋼製ドラム缶１００は、金属製で円筒状をなした中空の胴体１０１と、胴体１０１の下端開口を閉塞する金属製の地板１０２と、胴体１０１の上端開口を閉塞する金属製の天板１０３とを有する。尚、図１は、胴体１０１に対して地板１０２及び天板１０３が巻締められた上述の密閉型（タイトヘッドドラム）の鋼製ドラム缶１００を示している。
【００１２】
鋼製ドラム缶１００の胴体１０１における表面１０５には、鋼製ドラム缶１００の全高Ｈにわたり、凹形状又は凸形状にてなる、収納物残量判別用の図形部１１０が、鋼製ドラム缶１００の軸方向１００ａにおいて１０個（１０箇所）以上、離散して、つまり不連続で互いに分離して飛び飛びに、形成されている。つまり、一つの図形部１１０に近接する複数個の別の図形部１１０との間には表面１０５が存在している。また図形部１１０は、プレス成形で作製するのが容易である。
【００１３】
このような図形部１１０は、例えば市販の打診棒あるいはハンマー（金槌）等の、好ましくは打点部分が金属製である、棒状物にてたたかれて、図形部１１０付近の表面１０５と共に打撃音を発生する部分である。打撃箇所は、図形部１１０に限定されず、隣接する図形部１１０間における表面１０５であってもよい。図形部１１０及びその付近の表面１０５は、上記打撃音にて、当該鋼製ドラム缶１００内における収納物の収納量、換言すると残量を感知もしくは検知し判別させるための部分である。
【００１４】
即ち、図形部１１０は、そのエッジ（図形部１１０における縁部）によって打撃による振動が制約されるため、一定の打撃音を生じ、打撃位置において収納物が存在するか否かを判別可能にする。以下に詳しく説明する。
【００１５】
振動する鋼製ドラム缶１００の胴体１０１の鋼板は、例えばギターで言えば弦に相当する。振動の制約作用をするチャイム（胴体１０１と地板１０２及び天板１０３との各巻締め部分）、ビード（輪帯：図１Ａ−図１Ｃ）１０４、図形部１１０のエッジ（縁部）は、ギターで言えば上駒、下駒、フレットに相当する。鋼製ドラム缶１００の場合、叩く作業は、弦楽器で言えば弦を弾く作業に相当し、打撃により、天板１０３が巻き締められた上端と地板１０２が巻き締められた下端とを弦長さとする振動、上端とビード１０４との間を弦長さとする振動、図形部１１０のエッジと隣接する図形部１１０のエッジとを弦長さとする振動、図形部１１０のエッジに振動を制限された図形部１１０内の球殻振動などが発生する。そしてこれらの振動による、いくつかの基準音が混在する。鋼製ドラム缶１００の内部の空隙は、ギター胴内の空洞に相当し、共鳴に影響する。また、胴体１０１における鋼板は、ギターの弦の役目、及びギターの響板（胴の板）の役目をする。
【００１６】
ここで、胴体１０１に図形部１１０を設けていない場合には、胴体１０１のどこを叩いても胴体１０１の全体が振動して、収納物の残量位置を正確に聞き分けることは難しい。
一方、図形部１１０を設けた場合には、図形部１１０を叩く、あるいは図形部１１０と図形部１１０との間の領域を叩くと、図形部１１０による（球殻）振動音が、あるいは打撃部分に直近の各図形部１１０の各エッジで区切られた、図形部１１０間における胴体１０１を弦長さとする振動音が直接打撃音として聞こえる。また、胴体１０１全体に振動が伝播したものが響板音として同時に混じる。
この全体振動音を抑えるためには、胴体１０１の全面に対して等間隔で図形部１１０を施した場合にその効果が高い。しかしながら、図形部１１０を、軸方向１００ａにおいて全高Ｈにわたり一列に配列した場合でも、直接打撃音と全体が振動する音とは、音の高さが異なることから、聞き分けることが可能である。
【００１７】
図形部１１０自体により生じる球殻振動音は、比較的高音（高い周波数）になる。一方、隣接する図形部１１０間の領域により生じる打撃振動音は、上記球殻振動音に比べて基準音周波数が小さいつまり低い音となり、収納物残量の聞き分けによる判別が比較的容易である。よって、打撃する箇所は、図形部１１０、図形部１１０間のいずれでも良いが、例えば作業者間での聴力能力のバラツキ等を考慮すると、図形部１１０間が好ましいことになる。
【００１８】
出願人の実験等によれば、一例として、それぞれの図形部１１０を中心間間隔で約７ｃｍ程度にて碁盤目間隔（例えば図１Ｃ）で配置した場合には、対角線上に位置する図形部１１０の中心間間隔は約１０ｃｍ程度になる。この程度であれば、聴力能力に関係なく、基準音の判別つまり収納物残量の判別が可能である。
【００１９】
このような図形部１１０による残量判別によれば、複数の鋼製ドラム缶１００について判別動作を行う場合でも、鋼製ドラム缶１００の口金を開栓する必要はなく、よって開栓用の専用工具も不要であり、さらに残量計測器も不要であり、さらに、単にたたけば良いことから、極く短時間にて、各鋼製ドラム缶１００における残量を検知することができる。
【００２０】
図形部１１０は、このような機能を果たす部分であることから、鋼製ドラム缶１００の軸方向１００ａにおいて、全高Ｈにわたり、等間隔にて配置するのが好ましい。
図形部１１０の配置個数（１０個以上）は、鋼製ドラム缶１００の全高Ｈと、より良好な残量判別精度を求める観点との関係から、出願人の実験等を基に求めた数値である。また、図形部１１０の配置個数の上限については、ＪＩＳで規定されている鋼製ドラム缶１００の全高Ｈの値に対する、鋼製ドラム缶１００の軸方向１００ａにおける、以下に記述する、一つの図形部１１０の長さ寸法Ｌ２（図２）と、隣接する図形部１１０同士の隙間寸法Ｌ１（図２）との合算値に応じて、自ずと決定される。
【００２１】
図形部１１０として図１Ａ−図１Ｃでは、平面形状が円形で凹部の場合を示しているが、図形部１１０は凸部であってもよい。尚、例えば胴体１０１の表面１０５にラベルを貼る等を行う場合には、図形部１１０は凹形状である方が邪魔にならず好ましい。
また、図形部１１０の平面形状も円形に限定されることなく、図形部１１０は、例えば三角形、四角形、五角形以上の多角形等をも含む概念である。
一方、図形部１１０は、鋼製ドラム缶１００の周方向に沿って連続して延在し形成されてもよい。即ち、鋼製ドラム缶１００には、図１Ａ−図１Ｃに示すように、胴体１０１に周方向に沿ってビード（輪帯）１０４が設けられており、図形部１１０は、ビード１０４と重ねて設けることもできる。
【００２２】
また、図１Ａでは、鋼製ドラム缶１００の軸方向１００ａに沿って千鳥状に２列にて図形部１１０を配置した形態を示しているが、軸方向１００ａに沿って１列にて図形部１１０を１０個以上配置してもよい。
【００２３】
また図１Ｂに示すように、鋼製ドラム缶１００の全高Ｈにわたり、胴体１０１の表面１０５の周囲に沿って螺旋状に、１列あるいは複数列にて、図形部１１０を軸方向１００ａにおいて１０個以上配置してもよい。
【００２４】
さらにまた、図１Ｃに示すように、鋼製ドラム缶１００の全高Ｈにわたり図形部１１０を１０個以上、胴体１０１の表面１０５の全面に配置してもよい。
【００２５】
また複数個の図形部１１０は、全て同じ平面形状で同じ大きさでもよいし、その一部があるいは全部が異なっていてもよい。即ち、上述のように図形部１１０は、音響により収納物の残量を検知するためのものであることから、平面形状及び大きさの少なくとも一方の相違により音響が変化する場合もあり、一般的には同形状で同サイズであるのが好ましい。一方、例えば、良好な音響が得られない、あるいは他とは異なる音色になってしまう、等の箇所に対して、又は検知精度向上のために、平面形状及び大きさの少なくとも一方を、場所により意図的に相違させてもよい。
【００２６】
図形部１１０は、例えば円形の図形部１１０の場合、一つの図形部１１０における長さ寸法Ｌ２は、直径で１５ｍｍから３０ｍｍの範囲にある。この数値範囲についても、鋼製ドラム缶１００の全高Ｈと、より良好な残量判別精度を求める観点との関係から、さらに下記のＬ１とＬ２との関係を基に、出願人の実験等から求めた範囲である。即ち、１５ｍｍ未満の場合、打診棒等の棒状物のサイズも小さくする必要が生じるという不便さがあり、一方、例えば１００ｍｍ等、３０ｍｍを超えると残量把握の刻みが荒くなり、残量判別精度が劣ってしまう。
【００２７】
また、軸方向１００ａにおいて隣接する図形部１１０同士の隙間寸法Ｌ１は、一つの図形部１１０の長さ寸法Ｌ２よりも大きくなるように設定している。この関係についても、より良好な残量判別精度を求める観点から設定したものである。即ち、図形部１１０を打撃することで、鋼製ドラム缶１００の表面１０５における、隙間寸法Ｌ１に対応した領域も振動し、音を発生する。図形部１１０の長さ寸法Ｌ２が上述の３０ｍｍ−１５ｍｍの範囲にあるとき、鋼製ドラム缶１００の全高Ｈが約８８０ｍｍであることから、Ｌ１＞Ｌ２の関係が成り立つ。これにより、上で説明したように、隙間寸法Ｌ１に対応した領域にて生成される音が主に聞こえて基準音になり、残量判別が容易になる。
【００２８】
また、図形部１１０が凹形状である場合、その深さｄ（図２）は、０．５ｍｍから２ｍｍの範囲にあり、１ｍｍから２ｍｍが好ましい。０．５ｍｍから２ｍｍの数値範囲についても、より良好な残量判別精度を求める観点から、出願人の実験等を基に求めた範囲であり、また図形部１１０の製作上の理由から求めた範囲である。一般的には、深さｄが大きくなるほど、高音の澄んだ音色が得られる。
また、図形部１１０の断面形状について、図２では凹部で中央部分が平坦面である台形形状の場合を示すが、図形部１１０が凸部の場合においても、中央部分が円弧状、あるいはその他の形状であってもよい。
【００２９】
さらにまた、図形部１１０は、例えば凹状の線状であってもよく、これを格子状に形成したもの、あるいはビード１０４のように胴体１０１の周方向に沿って全周の少なくとも一部分に形成したものを軸方向１００ａに全高Ｈにわたり１０本以上形成したもの、等であってもよい。
【００３０】
以上の説明では、鋼製ドラム缶１００は、ビード１０４を有する通常の鋼製ドラム缶を例に採った。一方、ビード１０４を有しない鋼製ドラム缶も存在する。このようなビード無し鋼製ドラム缶においては、ビード１０４を有する通常の鋼製ドラム缶１００に比べると、特に胴体１０１における強度が低くなる。このようなビード無し鋼製ドラム缶に対して、凹形状又は凸形状にてなる複数の図形部１１０を設けることで、図形部１１０は、鋼製ドラム缶１００内の収納物残量判別用としての機能の他に、ビード無し鋼製ドラム缶における胴体１０１の強度を増す手段としても非常に有効な手段とすることができる。
【産業上の利用可能性】
【００３１】
本発明は、鋼製ドラム缶で、缶内収納物の残量を感知可能な残量判別式の鋼製ドラム缶に適用可能である。
【符号の説明】
【００３２】
１００…鋼製ドラム缶、１００ａ…軸方向、１１０…図形部。
【図１Ａ】
2020075744.tif 000003
【図１Ｂ】
2020075744.tif 000004
【図１Ｃ】
2020075744.tif 000005
【図２】
2020075744.tif 000006